(57)【要約】【課題】異常燃焼が所定回数に達したら再運転禁止とする燃焼機器を提供する。【解決手段】  燃焼センサ２３が異常燃焼検知した時、タイマー部２５がスタートし、計時が所定時間に達するまでに異常燃焼の検知回数が所定回数を超えると、燃焼運転を停止して再運転を禁止する制御装置３が、タイマー部２５による計時開始後に一旦電源が非通電状態となりその後再通電状態となって再運転された時、記憶部２６に記憶する異常燃焼の検知回数を非通電状態前の記憶していた回数に設定してタイマー部２５による計時を始めから行うので、再運転しても電源が非通電状態になった影響を受けずに、連続不完全燃焼の表示や再運転を禁止状態にすることができ、より安全に機器を使用することができるものである。【選択図】図３
2011085342.tif 000002
【特許請求の範囲】
【請求項１】
バーナと、該バーナの異常燃焼を検知する燃焼センサと、該燃焼センサで検知した異常燃焼の回数を記憶する記憶部と、タイマー部とを有し、前記燃焼センサが異常燃焼を検知した時、タイマー部による計時を開始し、タイマー部による計時が所定時間に達するまでに異常燃焼の検知回数が所定回数を超えると、燃焼運転を停止すると共に再運転を禁止する制御装置を備えた燃焼機器に於いて、前記制御装置は、タイマー部による計時開始後に一旦電源が非通電状態となり、その後再通電状態となって再運転された時、記憶部に記憶する異常燃焼の検知回数を非通電状態前の記憶していた回数に設定してタイマー部による計時を始めから行うことを特徴とする燃焼機器。
【請求項２】
前記制御装置は、タイマー部による計時開始後に異常燃焼の検知回数が第一の所定回数を超えると連続異常燃焼を表示し、異常燃焼の検知回数が第一の所定回数より多い第二の所定回数を超えると燃焼運転を停止すると共に再運転を禁止することを特徴とする請求項１記載の燃焼機器。
【発明の詳細な説明】
【技術分野】
【０００１】
本発明は、石油温風暖房機などの燃焼機器に関するものである。
【背景技術】
【０００２】
従来よりこの種の燃焼機器においては、燃焼センサーからの異常検知出力の発生が規定回数を越えるまでは燃焼を継続し、異常検知出力の発生が規定回数に達すれば燃焼を停止させると共に、異常検知出力が所定時間内に規定回数に達する場合のみ燃焼を停止させるものがある。（例えば、特許文献１）
【０００３】
また、不完全燃焼検出手段による不完全燃焼の検出がタイマ時間継続したときに、運転制御手段により燃焼運転が再起動不能に停止されて燃焼運転が禁止され、また、不完全燃焼検出手段による不完全燃焼の検出がタイマ時間未満の時間内で終わり、それが繰り返されたときには、その繰り返し回数が所定回数に達すると、運転制御手段により燃焼運転が停止されるものがある。（例えば、特許文献２）
【先行技術文献】
【特許文献】
【０００４】
【特許文献１】特開平５−１４９５３６号公報
【特許文献２】特開平７−１０３４７０号公報
【発明の概要】
【発明が解決しようとする課題】
【０００５】
ところで、この従来のものでは、異常検知出力を検出する所定時間をタイマーが計時している時に、機器を移動させるために電源プラグを一旦抜いて、移動後に再度運転させた時や停電後の再運転時は、タイマーの計時がキャンセルされて再度始めから計時をやり直したり、不完全燃焼の検出の繰り返し回数がャンセルされて再度始めから不完全燃焼の検出回数をやり直したりして、電源プラグを抜かずに運転を継続していれば、不完全燃焼検出手段による不完全燃焼の検出がタイマ時間継続したり、又は異常検知出力が所定時間内に規定回数に達していて燃焼運転が停止されたり、燃焼運転が再起動不能に停止されて燃焼運転が禁止された燃焼機器をそのまま運転させてしまうという課題があった。
【課題を解決するための手段】
【０００６】
本発明は上記課題を解決するため、請求項１では、バーナと、該バーナの異常燃焼を検知する燃焼センサと、該燃焼センサで検知した異常燃焼の回数を記憶する記憶部と、タイマー部とを有し、前記燃焼センサが異常燃焼を検知した時、タイマー部による計時を開始し、タイマー部による計時が所定時間に達するまでに異常燃焼の検知回数が所定回数を超えると、燃焼運転を停止すると共に再運転を禁止する制御装置を備えた燃焼機器に於いて、前記制御装置は、タイマー部による計時開始後に一旦電源が非通電状態となり、その後再通電状態となって再運転された時、記憶部に記憶する異常燃焼の検知回数を非通電状態前の記憶していた回数に設定してタイマー部による計時を始めから行うものである。
【０００７】
また、請求項２では、請求項１記載の燃焼機器に於いて、前記制御装置は、タイマー部による計時開始後に異常燃焼の検知回数が第一の所定回数を超えると連続異常燃焼を表示し、異常燃焼の検知回数が第一の所定回数より多い第二の所定回数を超えると燃焼運転を停止すると共に再運転を禁止するものである。
【発明の効果】
【０００８】
この発明の請求項１によれば、タイマー部による計時開始後に一旦電源が非通電状態となり、その後再通電状態となって再運転された時、記憶部に記憶する異常燃焼の検知回数を非通電状態前の記憶していた回数に設定してタイマー部による計時を始めから行うので、再運転しても電源プラグを抜いたり、停電により電源が非通電状態になった影響を受けずに、機器の異常を検知、判断して連続不完全燃焼の表示や再運転を禁止状態にすることができ、より安全に機器を使用することができるものである。
【０００９】
又本発明の請求項２に記載の燃焼機器によれば、タイマー部による計時開始後に異常燃焼の検知回数が第一の所定回数を超えると連続異常燃焼を表示し、異常燃焼の検知回数が第一の所定回数より多い第二の所定回数を超えると燃焼運転を停止すると共に再運転を禁止するので、早くに使用者に異常を報知して機器の点検、修理を促すことができ、また  再運転を禁止状態にすることで、異常状態のまま使用することを防止して、事故の発生を防止することができるものである。
【図面の簡単な説明】
【００１０】
【図１】この発明の一実施例を付した燃焼機器を示す断面図。
【図２】同構成図。
【図３】同異常燃焼を検知する動作のフローチャート図。
【発明を実施するための形態】
【００１１】
次にこの発明に係る発明の一実施形態を図面に基づいて説明する。
【００１２】
１は屋内に設置されるファンヒータ本体で、ファンヒータ本体１内部に燃焼を行うバーナ２と、このファンヒータの作動を制御するマイコンを主体として構成された制御装置３と、ファンヒータ本体１背面開口部の対流用送風機４と、ファンヒータ本体１前面の温風吹出口５と、ファンヒータ本体１前面側上部の操作部６とを備えているもので、バーナ２での燃焼排気ガスを対流用送風機４により温風吹出口５から室内に吹き出すことで暖房を行うものである。
【００１３】
前記バーナ２は、複数の炎孔を有したバーナヘッド７の下部に気化ヒータ８を有した気化器９を備えて構成され、気化ヒータ８によって加熱された気化器９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化器９の上端に複数の炎孔に対向する如く備えた環状の熱回収リング１５によって炎から熱回収を行い気化ヒータ８の通電を低減しているもので、ターンダウン比が広く静かな気化燃焼を行うものである。
【００１４】
前記操作部６には、運転の開始／停止を指令するための運転スイッチ１６と、室温上昇スイッチ１７と室温下降スイッチ１８とにより構成され所望の室温を設定する室温設定手段１９と、タイマースイッチや予熱待機スイッチなどの各種の操作スイッチと、時刻や設定室温を表示する表示部２０が設けられている。
【００１５】
２１は前記気化ヒータ８で加熱される気化器９の温度を検知する気化温度センサで、前記制御装置３はこの気化温度センサ２１の検知温度が所定の上限温度になると前記気化ヒータ８をオフし、また所定の下限温度になると前記気化ヒータ８をオンして気化器９の温度を液体燃料を良好に気化できる温度範囲内に保持する。
【００１６】
また、前記制御装置３は、運転スイッチ１６の運転指令により、前記気化温度センサ２１の検知温度を監視して前記気化器９を液体燃料を気化可能な温度まで気化ヒータ８により加熱し、気化器９の温度を燃焼に適する温度まで上昇させると前記電磁ポンプ１１及び燃焼用送風機１３を駆動開始し、点火装置２２により混合ガスに点火して燃焼を開始させ、フレームロッドによる燃焼センサ２３により炎を検知し、器具本体１背面の対流用送風機４の近傍に設けられた室温センサ２４の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１７】
この燃焼火力の可変制御は、燃焼用送風機１３の駆動周波数及び電磁ポンプ１１の駆動周波数を一組として予め複数段階に細分化されて火力として設定しており、検知室温と設定室温の偏差及び室温の変化勾配に応じて細分化された火力を選択することによって行われる。
【００１８】
また、前記制御装置３は、タイマー部２５と記憶部２６を有し、前記タイマー部２５は、運転スイッチ１６の運転停止指令を受けると、前記対流用送風機４と気化ヒータ８と電磁ポンプ１１と燃焼用送風機１３とを前記タイマー部２４のカウントに応じて適宜消火制御して、臭い及び煙のない快適な消火を実現すると共に、燃焼センサ２３により不完全燃焼を検出すると計時を開始し、所定時間経過後に計時を停止するものである。
【００１９】
前記記憶部２６は、燃焼センサ２３により不完全燃焼を検出してタイマー部２４が所定時間を計時している間に燃焼センサ２３により検出した不完全燃焼の回数を記憶するものである。
【００２０】
次にこの一実施形態の作動について図３に示すフローチャートで説明する。
まず、運転状態のファンヒータ本体１において、燃焼センサ２３により不完全燃焼を検知すると（Ｓ１）、制御装置３はタイマー部２５を始動させて計時を開始すると共に（Ｓ２）、記憶部２６に不完全燃焼の回数を１回として記憶させる。（Ｓ３）
尚、本件ではタイマー部２５で計時する所定時間を６０分としている。
【００２１】
そして次に電源プラグを抜いたり、停電により電源が非通電状態になったかを検知し（Ｓ４）、非通電状態が検知されないと次にタイマー部２５が所定時間を計時したか確認し（Ｓ５）、所定時間を計時したらタイマー部２５による計時を終了し（Ｓ６）、記憶部２６に記憶している不完全燃焼の回数をリセットして０回として（Ｓ７）、（Ｓ１）へ戻るものである。
【００２２】
又、（Ｓ５）でタイマー部２５が所定時間を計時していない時、不完全燃焼を再度検知したか確認し（Ｓ８）、再度検知しなかったらたら（Ｓ４）へ戻り、再度検知したら記憶部２６に記憶している不完全燃焼の回数を１回加算して記憶する。（Ｓ９）
【００２３】
そして（Ｓ９）で１回加算した不完全燃焼の回数ｎが再運転禁止回数ｎ２以上になったか判断し（Ｓ１０）、ｎ２以上になったら燃焼運転を停止すると共に（Ｓ１１）、再運転を受け付けない再運転禁止状態に設定し（Ｓ１２）、表示部２０に再運転禁止を表示する。（Ｓ１３）
尚、本件では再運転禁止回数ｎ２を７回としている。
【００２４】
又、（Ｓ１０）で不完全燃焼の回数ｎが再運転禁止回数ｎ２未満の時は、不完全燃焼の回数ｎが連続不完全燃焼表示回数ｎ１以上になったか判断し（Ｓ１４）、ｎ１以上になったら表示部２０に連続不完全燃焼を表示状態にした後（Ｓ１５）、（Ｓ４）に戻り、又（Ｓ１４）で不完全燃焼の回数ｎが連続不完全燃焼表示回数ｎ１未満の時も（Ｓ４）に戻る。
尚、本件では連続不完全燃焼表示回数ｎ１を４回としている。
【００２５】
又、（Ｓ４）で非通電状態になった時、次に再度電源が通電状態になったかを検知し（Ｓ１６）、再度電源が通電状態になったら次に再運転が開始されたかを検知し（Ｓ１７）、再運転が開始された時、不完全燃焼の回数を非通電状態になる前に記憶部２６が記憶していた回数を設定し（Ｓ１８）、タイマー部２５を始動させて最初から計時を開始して（Ｓ１９）、（Ｓ４）に戻るものである。
【００２６】
このように本件では、所定時間内に不完全燃焼の回数が連続不完全燃焼表示回数に達したら、連続不完全燃焼を表示状態にして使用者に異常を報知し、更に不完全燃焼の回数が連続不完全燃焼表示回数より多い再運転禁止回数に達したら、運転停止して再運転を禁止状態にして修理、点検が完了しない限り使用できなくするので、早くに使用者に異常を報知して機器の点検、修理を促すことができ、また  再運転を禁止状態にすることで、異常状態のまま使用することを防止して、事故の発生を防止できるものである。
【００２７】
また、運転中に不完全燃焼を検知してタイマー部２５の計時が開始された後に、電源プラグを一旦抜いて移動後に再度運転させた時や、停電後の再運転時は、記憶部２６に記憶している不完全燃焼の回数を非通電状態になる前の回数に設定し、その状態でタイマー部２５の計時を最初から開始するので、再運転しても電源プラグを抜いたり、停電により電源が非通電状態になった影響を受けずに、機器の異常を検知、判断して連続不完全燃焼の表示や再運転を禁止状態にすることができ、より安全に機器を使用することができるものである。
【符号の説明】
【００２８】
２  バーナ
３  制御装置
２３  燃焼センサ
２５  タイマ部
２６  記憶部
【図１】
2011085342.tif 000003
【図２】
2011085342.tif 000004
【図３】
2011085342.tif 000005